(57)【要約】【課題】内燃機関１に付属の排気ターボ過給機５におけるブロワー圧縮機７への大気空気の吸気管路１１に，ブローバイガスの吸入用ポート１４を下向きに開口するように設けて成るブローバイガス処理装置において，前記吸気管路内に，ブローバイガス中の水分による氷柱の発生を低減する。【解決手段】前記吸入用ポート１４の軸線１４ａを，前記吸気管路の軸線１１ａ方向から見て，前記吸気管路の中心Ｏ１と偏心した部位Ｏ２から接線状に延びるようにすることに加えて前記吸気管路の中心を通る鉛直線１５に対して外向きに傾斜する。【選択図】    図３
2010216376.tif 000002
【特許請求の範囲】
【請求項１】
内燃機関に付属の排気ターボ過給機におけるブロワー圧縮機への大気空気の吸気管路に，ブローバイガスの吸入用ポートを下向きに開口するように設け，この吸入用ポートに前記内燃機関からのブローバイガス抽出通路を接続して成るブローバイガス処理装置において，
前記吸入用ポートは，前記吸気管路の軸線方向から見て，その軸線が前記吸気管路の中心と偏心した部位から接線状に延びていることに加えて前記吸気管路の中心を通る鉛直線に対して外向きに傾斜するように構成されていることを特徴とする排気ターボ過給機付き内燃機関におけるブローバイガス処理装置。
【発明の詳細な説明】
【技術分野】
【０００１】
本発明は，排気ターボ過給機を備えた内燃機関において，この内燃機関から排出されるブローバイガスを，前記排気ターボ過給機のうちブロワー圧縮機に吸い込ませて処理するようにした装置に関するものである。
【背景技術】
【０００２】
一般に，排気ターボ過給機を備えた内燃機関において，その内燃機関から排出されるブローバイガスは，前記排気ターボ過給機のうちブロワー圧縮機に吸い込ませて処理するように構成している。
【０００３】
この場合，先行技術としての特許文献１には，大気空気を取り入れるためのエアクリーナから前記ブロワー圧縮機の吸い込み側に至る吸気管路の天井面に，ブローバイガスの吸入用ポートを下向きにして開口するという構成が記載されている。
【先行技術文献】
【特許文献】
【０００４】
【特許文献１】特表２００８−５４４１４２号公報
【発明の概要】
【発明が解決しようとする課題】
【０００５】
前記先行技術のように，ブロワー圧縮機の吸い込み側における吸気管路へのブローバイガス吸入用ポートを，前記吸気管路における天井面に下向きに開口するという構成にした場合には，前記吸入用ポート内に水等が溜まることによる詰まりが発生することを回避できるという利点を有する。
【０００６】
しかし，その反面，内燃機関の運転を停止したときに，前記吸入用ポートへのブローバイガス抽出通路内で発生した結露水が，前記吸入用ポートの開口部から前記吸気管路内に水滴状に垂れ落ちることにより，寒冷地においては，前記水滴状に垂れ落ちる結露水が，垂れ下がる途中で先細棒状の氷柱に氷結することになる。
【０００７】
そして，次に内燃機関を始動したとき，前記棒状に垂れ下がった氷柱のうち先端の細い部分が折れてブロワー圧縮機に吸い込まれることになるから，インペラの破損を招来するおそれが大きいという問題があった。
【０００８】
本発明は，この問題を解消することを技術的課題とするものである。
【課題を解決するための手段】
【０００９】
この技術的課題を達成するため本発明は，請求項１に記載したように，
「内燃機関に付属の排気ターボ過給機におけるブロワー圧縮機への大気空気の吸気管路に，ブローバイガスの吸入用ポートを下向きに開口するように設け，この吸入用ポートに前記内燃機関からのブローバイガス抽出通路を接続して成るブローバイガス処理装置において，
前記吸入用ポートは，前記吸気管路の軸線方向から見て，その軸線が前記吸気管路の中心と偏心した部位から接線状に延びていることに加えて前記吸気管路の中心を通る鉛直線に対して外向きに傾斜するように構成されている。」
ことを特徴としている。
【発明の効果】
【００１０】
内燃機関の運転を停止したときにブローバイガス抽出通路内で発生する結露水は，前記ブローバイガス抽出通路を接続した吸入用ポートから吸気管路内に順次垂れ落ちることになる。
【００１１】
この場合，前記吸気管路内へのブローバイガスの吸入用ポートは，前記吸気管路の軸線方向から見て，当該吸入用ポートにおける軸線が前記吸気管路の中心と偏心した部位から接線状に延びていることに加えて前記吸気管路の中心を通る鉛直線に対して外向きに傾斜するように構成されていることにより，前記吸入用ポートから垂れ落ちる結露水の大部分は，当該吸入用ポートの内面のうち外向きに傾斜したことによって低く成る部分に集まり，この部分から前記吸気管路の内面に，その円周方向に沿うように伝い流れたのち，前記吸気管路の内底面に溜まることになるから，前記ブローバイガス抽出通路内での結露水が吸気管路内に吸入用ポートの開口部から水滴状になって垂れ落ちるような状態になることを回避できる。
【００１２】
これにより，寒冷地において，前記吸気管路内に入った結露水は，吸気管路の内底面に溜まった状態のままで凍結することになって，吸気管路内に先細棒状の氷柱が発生することを確実に少なくできるから，結露水の氷柱に起因してブロワー圧縮機を損傷するおそれを大幅に低減できる。
【図面の簡単な説明】
【００１３】
【図１】本発明の実施の形態を示す図である。
【図２】排気ターボ過給機のうちブロワー圧縮機への吸い込み部を示す図である。
【図３】図２のIII −III 視断面図である。
【発明を実施するための形態】
【００１４】
以下，本発明の実施の形態を，図１〜図３の図面について説明する。
【００１５】
これらの図において，符号１は，多気筒内燃機関を示し，この内燃機関１には各気筒への吸気マニホールド２と，各気筒からの排気マニホールド３とを備えている。
【００１６】
また，前記内燃機関１のうちシリンダヘッドカバー又はクランクケース等のブローバイガス集合部には，当該集合部からのブローバイガス抽出通路４が接続されている。
【００１７】
符号５は，排気タービン６とブロワー圧縮機７とを直結して成る排気ターボ過給機を示す。
【００１８】
この排気ターボ過給機５のうち排気タービン６における入口には，前記排気マニホールド３が接続され，前記排気タービン６における出口には，大気への排気管８が接続されている。
【００１９】
また，前記排気ターボ過給機４のうちブロワー圧縮機７における吸い込み口９には，大気空気の取り入れ用エアクリーナ１０からの吸気管路１１が接続され，前記ブロワー圧縮機７における出口には，前記吸気マニホールド２への過給管路１２が接続されており，前記過給管路１２の途中には，空冷又は水冷式のインタークーラ１３が設けられている。
【００２０】
前記吸気管路１１のうち前記ブロワー圧縮機７における吸い込み口９に隣接する部分には，ブローバイガスの吸入用ポート１４が，下向きに開口するように設けられ，この吸入用ポート１４には，前記ブローバイガス抽出通路４が接続されている。
【００２１】
前記吸入用ポート１４は，前記吸気管路１１における軸線１１ａの方向から見て，図３に示すように，当該吸入用ポート１４における軸線１４ａが，前記吸気管路１１における中心Ｏ１に対して横方向に適宜寸法Ｅだけ偏心した部位Ｏ２から接線状に延びていることに加えて，前記吸気管路１１における中心Ｏ１を通る鉛直線１５に対して外向きに適宜角度θ（例えば，約１５度前後）だけ傾斜するというように構成されている。
【００２２】
この構成において，内燃機関１の運転を停止したときにブローバイガス抽出通路４内で発生する結露水は，前記ブローバイガス抽出通路４を接続した吸入用ポート１４から吸気管路１１内に順次垂れ落ちることになる。
【００２３】
この場合，前記吸気管路１１内へのブローバイガスの吸入用ポート１４は，前記吸気管路１１における軸線１１ａの方向から見て，当該吸入用ポート１４における軸線１４ａが前記吸気管路１１の中心Ｏ１に対して横方向に適宜寸法Ｅだけ偏心した部位Ｏ２から接線状に延びていることに加えて，前記吸気管路１１における中心Ｏ１を通る鉛直線１５に対して外向きに適宜角度θだけ傾斜するように構成されていることにより，前記吸入用ポート１４から垂れ落ちる結露水は，当該吸入用ポート１４の内面のうち外向きに傾斜したことによって低く成る部分に集まり，この部分から前記吸気管路１１の内面に，その円周方向に沿うように伝い流れたのち，前記吸気管路１１の内底面１１ｂに溜まる。
【００２４】
これにより，前記吸気管路１１に入って結露水は，寒冷地等において凍結したとしても，その氷は，図３に二点鎖線１６で示すように前記吸気管路１１の内底面１１ｂに形成されることになるから，前記吸入用ポート１４の開口部に結露水の氷柱が発生することを確実に少なくできる。
【００２５】
なお，前記吸気管路１１の内底面１１ｂに溜まった結露水又は氷は，前記吸気管路１１における外周面のうち前記吸入用ポート１４の付近の部分に，前記内燃機関１に対する冷却水を流すか，或いは，排気ガスを流すようにしたジャケット１７を設けるとうい構成にすることにより，前記吸気管路１１の内底面１１ｂに溜まった結露水又は氷を容易に消去することができる。
【００２６】
また，前記吸気管路１１における内底面１１ｂのうち吸入用ポート１４からの結露水が溜まる部分と，前記ブロワー圧縮機７における吸い込み口９との間の部分に，前記内底面１１ｂより適宜寸法Ｈだけ高くした堰部１８を，円周方向に延びるように設けるという構成にすることにより，前記吸気管路１１の内底面１１ｂに溜まった結露水又は氷が前記ブロワー圧縮機７に吸い込まれるのを低減できる。
【符号の説明】
【００２７】
１              内燃機関
２              吸気マニホールド
３              排気マニホールド
４              ブローバイガス抽出通路
５              排気ターボ過給機
６              排気タービン
７              ブロワー圧縮機
９              ブロワー圧縮機の吸い込み口
１０            エアクリーナ
１１            吸気管路
１１ａ          吸気管路の軸線
１２            過給管路
１４            ブローバイガスの吸入用ポート
１４ａ          吸入用ポートの軸線
Ｏ１            吸気管路の中心
１５            鉛直線
【図１】
2010216376.tif 000003
【図２】
2010216376.tif 000004
【図３】
2010216376.tif 000005